【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
遊技盤に設けられ、パチンコ球が入球または通過する始動口と、
前記遊技盤の中央部に設けられ、２枚の羽根板が回動することに基いて開閉される可変入賞口を有する中央役物と、
前記可変入賞口内に設けられた特定入賞孔と、
前記始動口内にパチンコ球が入球したり、または、前記始動口内をパチンコ球が通過することに基づいて図柄表示装置に図柄を変動表示する手段と、
前記始動口内にパチンコ球が入球したり、または、前記始動口内をパチンコ球が通過することに基づいて大当りリングカウンタの計測値を取得する手段と、
大当りリングカウンタの取得結果を数値と比較することに基いて大当りおよび外れを判定する手段と、
大当りの判定時および外れの判定時に大当り図柄および外れ図柄を設定する手段と、
大当りの判定時および外れの判定時に図柄の変動表示を大当り図柄の設定結果および外れ図柄の設定結果で停止させる手段と、
図柄の変動表示が大当り図柄の設定結果で停止することに基いて前記両羽根板の開閉を繰返す大当り状態を生成する手段と、
大当り状態の生成回数を計測する手段と、
大当り状態での前記可変入賞口に対するパチンコ球の入賞個数を計測する手段と、
大当り状態での前記両羽根板の開閉回数を計測する手段と、
大当り状態での前記可変入賞口に対するパチンコ球の入賞個数が上限値に到達すること、大当り状態での前記両羽根板の開閉回数が上限値に到達することのいずれかが成立することに基いて今回の大当り状態を終える手段と、
今回の大当り状態でパチンコ球が前記特定入賞孔内に入賞したときには大当り状態の生成回数が上限値に到達していないことを条件に次回の大当り状態を生成する手段と
を備えたことを特徴とするパチンコ機。
【請求項２】
大当り状態での前記可変入賞口に対するパチンコ球の入賞個数が上限値に到達すること、大当り状態での前記両羽根板の開閉回数が上限値に到達することのいずれかが成立することに基いて今回の大当り状態を終える手段に換えて、
大当り状態での前記可変入賞口に対するパチンコ球の入賞個数が上限値に到達すること、大当り状態での前記両羽根板の開閉回数が上限値に到達すること、大当り状態で前記特定入賞孔内にパチンコ球が入賞することのいずれかが成立することに基いて今回の大当り状態を終える手段を設けたことを特徴とする請求項１記載のパチンコ機。
【請求項３】
前記遊技盤には、略「八」字状に並ぶ複数の誘導釘が設けられ、
前記始動口は、前記複数の誘導釘の下方に配置されていることを特徴とする請求項１〜２のいずれかに記載のパチンコ機。
【手続補正２】
【補正対象書類名】明細書
【補正対象項目名】０００４
【補正方法】変更
【補正の内容】
【０００４】
【課題を解決するための手段】
請求項１記載のパチンコ機は、遊技盤に設けられパチンコ球が入球または通過する始動口と、前記遊技盤の中央部に設けられ２枚の羽根板が回動することに基いて開閉される可変入賞口を有する中央役物と、前記可変入賞口内に設けられた特定入賞孔と、前記始動口内にパチンコ球が入球したり前記始動口内をパチンコ球が通過することに基づいて図柄表示装置に図柄を変動表示する手段と、前記始動口内にパチンコ球が入球したり前記始動口内をパチンコ球が通過することに基づいて大当りリングカウンタの計測値を取得する手段と、大当りリングカウンタの取得結果を数値と比較することに基いて大当りおよび外れを判定する手段と、大当りの判定時および外れの判定時に大当り図柄および外れ図柄を設定する手段と、大当りの判定時および外れの判定時に図柄の変動表示を大当り図柄の設定結果および外れ図柄の設定結果で停止させる手段と、図柄の変動表示が大当り図柄の設定結果で停止することに基いて前記両羽根板の開閉を繰返す大当り状態を生成する手段と、大当り状態の生成回数を計測する手段と、大当り状態での前記可変入賞口に対するパチンコ球の入賞個数を計測する手段と、大当り状態での前記両羽根板の開閉回数を計測する手段と、大当り状態での前記可変入賞口に対するパチンコ球の入賞個数が上限値に到達すること大当り状態での前記両羽根板の開閉回数が上限値に到達することのいずれかが成立することに基いて今回の大当り状態を終える手段と、今回の大当り状態でパチンコ球が前記特定入賞孔内に入賞したときには大当り状態の生成回数が上限値に到達していないことを条件に次回の大当り状態を生成する手段とを備えたところに特徴を有している。
上記手段によれば、可変入賞口の両羽根板が大当り状態で開閉を繰返すので、遊技者が両羽根板の開閉にタイミングを合わせてパチンコ球を発射する場合と漠然とパチンコ球を発射する場合とでアウト球数（可変入賞口内に入球しないパチンコ球数），セーフ球数（可変入賞口内に入球するパチンコ球数）に各々違いができる。このため、遊技者の技量によって出球数に差が生じるので、大当り中の打ち方に真剣味が生まれ、遊技のおもしろさが高まる。
【手続補正３】
【補正対象書類名】明細書
【補正対象項目名】０００５
【補正方法】変更
【補正の内容】
【０００５】
請求項２記載のパチンコ機は、大当り状態での前記可変入賞口に対するパチンコ球の入賞個数が上限値に到達すること大当り状態での前記両羽根板の開閉回数が上限値に到達することのいずれかが成立することに基いて今回の大当り状態を終える手段に換えて、大当り状態での前記可変入賞口に対するパチンコ球の入賞個数が上限値に到達すること大当り状態での前記両羽根板の開閉回数が上限値に到達すること大当り状態で前記特定入賞孔内にパチンコ球が入賞することのいずれかが成立することに基いて今回の大当り状態を終える手段を設けたところに特徴を有している。
上記手段によれば、例えば可変入賞口の両普通入賞孔内にパチンコ球が入球する以前に特定入賞孔内にパチンコ球が入球すると、８ラウンドが終了した時点で出球数が極端に少なくなる。このため、各ラウンドの１０個の最後の方で特定入賞孔内にパチンコ球が入球するように打ち方に多大な注意を払う必要が生じるので、大当り中の遊技のおもしろさが大幅に高まる。
請求項３記載のパチンコ機は、前記遊技盤に略「八」字状に並ぶ複数の誘導釘が設けられ、前記始動口が前記複数の誘導釘の下方に配置されているところに特徴を有している。
上記手段によれば、始動口内にパチンコ球が入球し難くなる。このため、大当り確率を高く設定したり、大当り１回分の出球数を減らす等、パチンコ機のスペックを多種多様に設定できるので、パチンコホールと遊技者との間の収支を崩すことがないバランスの取れたパチンコ機を容易に設計できる。
【手続補正４】
【補正対象書類名】明細書
【補正対象項目名】００６６
【補正方法】変更
【補正の内容】
【００６６】
また、上記実施例においては、８ラウンドのうち所定の１ラウンド〜７ラウンドで両羽根板３４が開閉動作を繰返し、残りの１ラウンドで両羽根板３４が開放状態に保持される構成としても良い。
また、上記実施例においては、両羽根板３４が閉鎖状態になることに基づいて可変入賞口２４の両入口２９を部分的に開放し、両入口２９の開放部分から可変入賞口２４内にパチンコ球が入球することを許容しても良い（遊技者に不利な状態）。
【手続補正５】
【補正対象書類名】明細書
【補正対象項目名】００７０
【補正方法】変更
【補正の内容】
【００７０】
【発明の効果】
以上の説明から明らかなように、本発明のパチンコ機は次の効果を奏する。
請求項１記載の手段によれば、可変入賞口の両羽根板を大当り状態で繰返し開閉させた。このため、遊技者の技量によって出球数に差が生じるので、大当り中の打ち方に真剣味が生まれ、遊技のおもしろさが高まる。
請求項２記載の手段によれば、例えば可変入賞口の両普通入賞孔内にパチンコ球が入球する以前に特定入賞孔内にパチンコ球が入球すると、８ラウンドが終了した時点で出球数が極端に少なくなる。このため、各ラウンドの１０個の最後の方で特定入賞孔内にパチンコ球が入球するように打ち方に多大な注意を払う必要が生じるので、大当り中の遊技のおもしろさが大幅に高まる。
請求項３記載の手段によれば、略「八」字状に並ぶ複数の誘導釘の下方に始動口を設けた。このため、始動口内にパチンコ球が入球し難くなるので、大当り確率を高く設定したり、大当り１回分の出球数を減らす等、スペックを多種多様に設定できる。